【手続補正書】
【提出日】平成20年5月27日(2008.5.27)
【手続補正１】
【補正対象書類名】明細書
【補正対象項目名】発明の名称
【補正方法】変更
【補正の内容】
【発明の名称】画像形成装置
【手続補正２】
【補正対象書類名】明細書
【補正対象項目名】特許請求の範囲
【補正方法】変更
【補正の内容】
【特許請求の範囲】
【請求項１】  用紙を搬送する搬送手段と、
前記搬送手段により用紙が搬送される搬送路に設けられ、用紙の有無を検知する複数の検知手段と、
前記複数の検知手段により検知された用紙の検知タイミングに基づき、用紙の搬送不良が発生したかどうかを診断する診断手段と、を有し、
前記診断手段により装置内の複数個所の診断が行われる場合には、１つの診断動作が完了しても、当該診断動作に用いた用紙を排紙せずに装置内に待機させておき、当該装置内に待機させておいた用紙を次の診断動作に用いることを特徴とする画像形成装置。
【請求項２】  前記画像形成装置は、診断動作の指示を前記画像形成装置に通知する管理装置と接続されており、
前記診断手段による診断結果は、前記管理装置に通知されることを特徴とする請求項１記載の画像形成装置。
【請求項３】  前記診断手段により装置内の複数個所の診断が行われる場合には、１つの診断動作が完了した後、次の診断個所より上流の位置に用紙を待機させることを特徴とする請求項１記載の画像形成装置。
【手続補正３】
【補正対象書類名】明細書
【補正対象項目名】０００１
【補正方法】変更
【補正の内容】
【０００１】
【発明の属する技術分野】
用紙の搬送不良（ＪＡＭ等）の診断テストを実行可能なプリンタ、複写機、ファクシミリ等の画像形成装置に関する。
【手続補正４】
【補正対象書類名】明細書
【補正対象項目名】０００３
【補正方法】変更
【補正の内容】
【０００３】
【発明が解決しようとする課題】
しかしながら、熟練した知識が必要である上、ＪＡＭ等の画像形成装置の診断動作の実行のために、多数の画像形成動作を繰り返すと、紙、トナー、及びインクなどの消耗品を消費してしまい、そのコストが無視できなくなってきている。
【手続補正５】
【補正対象書類名】明細書
【補正対象項目名】０００４
【補正方法】変更
【補正の内容】
【０００４】
【課題を解決するための手段】
上記の問題を解決するため、本発明に係る画像形成装置は、用紙を搬送路へと給紙する給紙手段と、前記搬送路に設けられ、用紙の有無を検知する複数の検知手段と、前記複数の検知手段により検知された用紙の検知タイミングに基づき、用紙の搬送不良が発生したかどうかを診断する診断手段と、を有し、前記診断手段により装置内の複数個所の診断が行われる場合には、１つの診断動作が完了しても、当該診断動作に用いた用紙を排紙せずに装置内に待機させておき、当該装置内に待機させておいた用紙を次の診断動作に用いることを特徴とする。
【手続補正６】
【補正対象書類名】明細書
【補正対象項目名】０００５
【補正方法】変更
【補正の内容】
【０００５】
【発明の実施の形態】
図１は本発明の一実施例を示した図面であり、画像形成装置の用紙搬送部である。
【手続補正７】
【補正対象書類名】明細書
【補正対象項目名】０００７
【補正方法】変更
【補正の内容】
【０００７】
また、１５ａ、１５ｂ、１５ｃは用紙のピックアップを監視するピックアップセンサ、１６ａ、１６ｂ、１６ｃは縦パスの用紙を監視する縦パスセンサ、１７、１８は搬送センサ、１９はレジストセンサ、２０は定着前センサ、２１は排紙センサであり、それぞれ用紙搬送状態を監視する。
【手続補正８】
【補正対象書類名】明細書
【補正対象項目名】００１１
【補正方法】変更
【補正の内容】
【００１１】
同様にステップｓ１２まで進み、ステップｓ１３ではレジストローラ９を駆動するタイミングまで待ち、感光ドラム上のトナー画像が転写位置において用紙に適切に転写されるように、用紙の搬送タイミングを調整する。
【手続補正９】
【補正対象書類名】明細書
【補正対象項目名】００１２
【補正方法】変更
【補正の内容】
【００１２】
ステップｓ１４にてレジストローラ９が駆動されると、次にステップｓ１５により画像形成が行われ、用紙は定着ローラ１０へと送られることになる。
【手続補正１０】
【補正対象書類名】明細書
【補正対象項目名】００１７
【補正方法】変更
【補正の内容】
【００１７】
まず、到達すべきセンサ１６ａに対して１つ上流のセンサ１５ａにおいて、センサ１５ａが用紙の先端を検出してから、センサ１６ａよりも距離α上流の位置に用紙の先端が到達するタイミングＴ１を予測し、用紙先端がセンサ１６ａよりも距離α上流の位置に到達したかどうかを判断する。（ステップｓ３０）
次に用紙先端がセンサ１６ａに到達すべきタイミングＴ２に達したかどうかを判断し（ステップｓ３１）、タイミングＴ２に達していないならばステップｓ３３に進む。そして、センサ１６ａが用紙を検知したかどうかを判断し、センサ１６ａが用紙を検知していればステップｓ３６に進む。
【手続補正１１】
【補正対象書類名】明細書
【補正対象項目名】００１９
【補正方法】変更
【補正の内容】
【００１９】
ステップｓ３１でタイミングＴ２に達している場合はステップｓ３２に進み、用紙先端がセンサ１６ａに到達すべきタイミングＴ２に遅延ジャムマージンβを加えたタイミングＴ３になったかどうかを判断する。
【手続補正１２】
【補正対象書類名】明細書
【補正対象項目名】００２１
【補正方法】削除
【補正の内容】
【手続補正１３】
【補正対象書類名】明細書
【補正対象項目名】００２３
【補正方法】変更
【補正の内容】
【００２３】
用紙の後端の検知は、一旦センサ１６ａにより用紙が検知された後に再びセンサ１６ａが用紙を検出しなくなることにより行われる。ここで、センサ１６ａが用紙の先端を検知してから後、用紙の長さ分だけ用紙がセンサ１６ａを通過するのにかかる時間に滞留ＪＡＭマージンγを加えたタイミングＴ４までにセンサ１６ａが用紙の後端を検知しなかった場合にステップｓ３８において滞留ＪＡＭとなる。一方、タイミングＴ４までにセンサ１６ａが用紙の後端を検知できればステップｓ３９において正常とされる。
【手続補正１４】
【補正対象書類名】明細書
【補正対象項目名】００２９
【補正方法】変更
【補正の内容】
【００２９】
次に、管理指令装置４２から指定されたＪＡＭ診断個所が複数の場合、最初の（最上流の）ＪＡＭ診断個所のテストが上記の手順で行われた後、用紙を排出しない状態でステップｓ５０にて次のＪＡＭ診断個所の上流にて待機させておく。そして、次のＪＡＭ診断テストの開始指令により、ステップｓ５７を省略してステップｓ５８より実行される。すなわち、ＪＡＭ診断の開始指令のたびにカセットから用紙を給紙すると、複数枚の用紙を消費してしまうことになるが、本実施形態のように、１つのＪＡＭ診断が終わっても次のＪＡＭ診断のために用紙を排紙せずに画像形成装置内に待機させておけば、複数個所のＪＡＭ診断をする場合であっても消費する用紙が１枚だけですみ、診断にかかるコストを低減できる。また、画像形成を伴う診断を行う場合は、トナー（又はインク）の消費量を低減することができる。
【手続補正１５】
【補正対象書類名】明細書
【補正対象項目名】００３４
【補正方法】変更
【補正の内容】
【００３４】
また、駆動ローラの速度低減開始タイミングＰ４は、次のセンサにおけるＪＡＭ診断を考慮し、
（Ｐ３’−Ｐ５）≧Ｐ２＋β
となる所定のタイミングとなる。
【手続補正１６】
【補正対象書類名】明細書
【補正対象項目名】００３６
【補正方法】変更
【補正の内容】
【００３６】
【発明の効果】
以上述べてきたように、本発明によれば、画像形成装置の診断を行う際に消費される紙、トナー、及びインクなどの消耗品の消費量を低減することができ、診断を実行する際のコストを低減できる。
【手続補正１７】
【補正対象書類名】図面
【補正対象項目名】図１
【補正方法】変更
【補正の内容】
【図１】
2002351170.tif 000001